(57)【特許請求の範囲】
【請求項１】
液状化粧料１を収容した有底筒の容器体２と、該容器体２の上端に止着された首筒３と、該首筒３内に止着され、漏斗状の払拭部８を設けたゴム性材より成形された払拭部材６と、前記首筒３に螺合して容器体２内を密閉する内キャップ１０と、該内キャップ１０の天井面１２より垂下し、先端に塗布部１８を設けた塗布棒１６と、前記内キャップ１０を内装した外キャップ１７とより構成され、
前記内キャップ１０を外キャップ１７内に回動不能に、ある程度抵抗をもって摺動可能に内装し、外キャップ１７の内径を前記容器体２外径よりも大径にして外キャップ１７が容器体２の上部も被うよう構成した事を特徴とする液状化粧料容器。
【請求項２】
前記容器体２の外壁に、外キャップ１７のスライド位置の目印２１となる加飾を施した事を特徴とする特許請求の範囲請求項１記載の液状化粧料容器。
【発明の詳細な説明】
【０００１】
【産業上の利用分野】
本発明は、マスカラ、アイライナー、マニュキア等の特に細部を塗布する液状化粧料容器の改良に関するものである。
【０００２】
【従来の技術】
従来より、マスカラ、アイライナー、マニュキア等の液状化粧料容器は、先端に塗布部を設けた塗布具をキャップより垂下し、この塗布具を容器内の化粧料中に浸漬し、抜き取った時点で塗布部に残留している化粧料を塗布していた。
【０００３】
しかし、特にマスカラ、アイライナー等の化粧料は、目の周囲に塗布するため、細かく塗布する必要があり、塗布する際に細心の注意が必要であった。また、塗布しやすい塗布具の長さというのは、使用者個々により千差万別であり、使用者は、提供された塗布具を我慢して使用しているに過ぎなかった。そこで、実開昭５６−１０８８０７号公報には、キャップ内に塗布具を摺動自在に内装したコンパクト化粧用塗布具が提案されている。この構成の場合、キャップをスライドさせて塗布具の全長を好みの長さ、つまり塗布しやすい長さに調節可能となっていた。
【０００４】
【発明が解決しようとする課題】
しかし、前述した構成は、携帯時にコンパクト化するのを目的とした構成であるため、塗布具の長さを好みに調整する場合、容器本体にキャップを嵌合させた状態でなければキャップの摺動操作ができなかった。また、キャップを伸方向にスライドさせた場合、容器本体のキャップ内に侵入する部分、挿入筒部が外部に露出してしまい、大変見苦しいものとなってしまった。従って、キャップ抜脱操作ごとにキャップのスライド操作をする必要があり、大変面倒なものとなっていた。
【０００５】
【課題を解決するための手段】
液状化粧料１を収容した有底筒の容器体２と、該容器体２の上端に止着された首筒３と、該首筒３内に止着され、漏斗状の払拭部８を設けたゴム性材より成形された払拭部材６と、前記首筒３に螺合して容器体２内を密閉する内キャップ１０と、該内キャップ１０の天井面１２より垂下し、先端に塗布部１８を設けた塗布棒１６と、前記内キャップ１０を内装した外キャップ１７とより構成され、前記内キャップ１０を外キャップ１７内に回動不能に、ある程度抵抗をもって摺動可能に内装し、外キャップ１７の内径を前記容器体２外径よりも大径にして外キャップ１７が容器体２の上部も被うよう構成する。また、前記容器体２の外壁に、外キャップ１７のスライド位置の目印２１となる加飾を施す。
【０００６】
【作用】
容器本体Ａに蓋体Ｂが嵌合している状態で外キャップ１７は摺動可能となっている。従って、外キャップ１７を摺動操作することにより、外キャップ１７内の内キャップ１０の位置、つまり外キャップ１７より突出する塗布棒１６の長さを調整する事ができ、使用者に最適の突出量に調整できる。また、外キャップ１７は、内キャップ１０をある程度の抵抗をもって摺動可能に内装しているため、不用意に外キャップ１７の摺動位置が変わってしまうようなことはない。
【０００７】
また、外キャップ１７を回転操作すると、内キャップ１０が外キャップ１７と回動不能に係合しているため、内キャップ１０と首筒３の螺合が解除され、蓋体Ｂが抜脱可能となる。そして、蓋体Ｂを抜脱すると、塗布部１８が払拭部材６の払拭部８を通過することにより、塗布部１８に付着した液状化粧料１が適量に調整されて抜脱される。
【０００８】
【実施例】
本発明実施例として、マスカラ、アイライナの液状化粧料１を収容した容器について説明する。まず容器本体Ａについて説明する。液状化粧料１を収容した容器体２は、有底筒状をしており、上端に首筒３が止着されている。
【０００９】
この首筒３は、上下に貫通しており、首筒３の容器体２上端より露出した部位は、外径が縮小した首部４になっている。この首部４の外周には、雄ネジ５が螺設されている。また、この首部４内には、払拭部材６が内装されている。
【００１０】
この払拭部材６は、筒状をしており、ゴム等の弾性材より成形されている。この払拭部材６の上端は、首筒３の上端より突出して、当接部７になっている。また、払拭部材６の内壁には、漏斗状の払拭部８が設けられている。この払拭部８の中央には、貫通孔９が穿設されている。
【００１１】
次に、容器本体Ａに嵌合する蓋体Ｂについて説明する。内キャップ１０は、容器本体Ａの首部４に嵌合するよう構成され、内壁に首部４の雄ネジ５が螺合する雌ネジ１１が螺設されている。また、内キャップ１０内には、天井面１２が設けられ、首筒３が螺合した際、払拭部材６の当接部７が当接して容器体２内を密閉するようになっている。この内キャップ１０の外壁には、回動防止片１３が１個所若しくは複数個所に設けられている。更に内キャップ１０の外周には、凹溝１４が周設されている。この凹溝１４には、ゴム材、エラストマー等より成形されたＯリング１５が巻着している。また、内キャップ１０の天井面１２には、塗布棒１６が垂下している。また、内キャップ１０は、外キャップ１７内に摺動自在に内装されている。
【００１２】
この塗布棒１６の先端部には、容器体２内に収容された液状化粧料１に対応した塗布部１８が設けられている。尚、この塗布棒１６を容器体２内に挿入した際、塗布棒１６が払拭部８の貫通孔９を貫通して液状化粧料１内に浸漬されるのであるが、払拭部８が塗布棒１６に密着しているため、塗布棒１６を抜脱する際、払拭部８によって塗布棒１６に付着した液状化粧料１は払拭され、塗布部１８に付着した液状化粧料１は適量に払拭されるようになっている。
【００１３】
この外キャップ１７は、内壁に内キャップ１０の回動防止片１３が係合して内キャップ１０を回動不能に上下摺動自在に案内するガイド溝１９が回動防止片１３に対応して刻設されている。また、内キャップ１０のＯリング１５は、弾性を有して外キャップ１７内壁に当接しており、適度な抵抗を持って内キャップ１０が外キャップ１７内を摺動するようになっている。更に、外キャップ１７の開口部には、止めリング２０が止着され、内キャップ１０が脱落不能になっている。尚、外キャップ１７の長さは、内キャップ１０が外キャップ１７天井面に当接した時点で、外キャップ１７の下端より、少なくとも塗布部１８が外部に突出する長さとなっている。また、外キャップ１７の内径は、容器体２の外径よりも大径で、容器本体Ａに嵌合した際、容器体２上部も外キャップ１７内に侵入するようになっている。その結果、容器本体Ａに蓋体Ｂを嵌合させた状態で、外キャップ１７が摺動可能となっており、外キャップ１７からの塗布棒１６の突出量を調整可能になっている。尚、本発明実施例では、Ｏリング１５の弾性によって外キャップ１７の摺動抵抗を付与させているが、内キャップ１０の外壁に弾性を有した舌片を設け、この舌片を外キャップ１７内壁に摺接させる事によって摺動抵抗を付与させる事もできる。
【００１４】
尚、容器本体Ａの容器体２外壁に、模様、点等、目盛りとなるようなもの、若しくは目印２１となるようなものを設けておけば、自分の好みの塗布棒１６の突出量の目印２１となり、次回使用する時に素早く自分の好みの突出量に調整できるようになる。またこれが、デザイン上、加飾上のアクセントとなる。
【００１５】
【発明の効果】
本発明は以上のように、スライド可能に構成した外キャップ１７の内径を容器体２外径よりも大径に構成し、容器体２の上部を被うよう構成したため、外キャップ１７を好みの位置にスライドさせたとしても、容器体２の外キャップ１７よりの突出量が変化するだけで、外観に大きな変化が現れないようになっており、使用者に違和感を与えないようになっている。しかも、容器体２の加飾を、点とか縞模様とかの目印２１とできるようなデザインにしておけば、蓋体Ｂをしたままでも塗布棒１６の突出量を確認できる。また、外キャップ１７と内キャップ１０の間に弾性材であるＯリング１５を介装したため、外キャップ１７の摺動は、有る程度の抵抗が必要となり、不用意に外キャップ１７が摺動してしまうのを防いでいる。
【図面の簡単な説明】
【図１】本発明実施例の液状化粧料容器最大伸長状態の正面半断面図。
【図２】本発明実施例の液状化粧料容器最大伸縮状態の正面半断面図。
【図３】図１の状態の蓋体の正面半断面図。
【図４】図２の状態の蓋体の正面半断面図。
【符合の説明】
１  棒状化粧料
２  容器体
３  首筒
６  払拭部材
８  払拭部
１０  内キャップ
１２  天井面
１６  塗布棒
１７  外キャップ
１８  塗布部
２１  目印
【図１】
0004051508.tif 000002
【図２】
0004051508.tif 000003
【図３】
0004051508.tif 000004
【図４】
0004051508.tif 000005